(57)【要約】      （修正有）【課題】等化をサポートするデータ及びパイロット構成のための方法及び装置。【解決手段】データ・ブロックが該データ・ブロックの先頭にガード・インターバルを有しそして該データ・ブロックの終端にガード・インターバルを有するように、ガード・インターバルが追加される。パイロットが少なくとも１つのデータ・ブロックのそれぞれの集合に追加される。該データ・ブロック、パイロット、及びガード・インターバルは、種々のスロット構成を使用して送られることが出来、そして、伝送のために処理される。該処理は、該データ・ブロックを少なくとも１つの物理チャネルにマップすること、チャネライゼーション・コードを用いてそれぞれの物理チャネルに対して該データ・ブロックをチャネライズすること、全ての物理チャネルを結合すること、及び該結合されたデータ、パイロット、及びガード・インターバルをスクランブリング・コードを用いてスクランブルする。【選択図】図５
2011125024.tif 000002
【特許請求の範囲】
【請求項１】
それぞれのデータ・ブロックが該データ・ブロックの先頭にガード・インターバルを有しそして該データ・ブロックの終端にガード・インターバルを有するようにデータ・ブロックにガード・インターバルを追加するように、且つ、該データ・ブロックと該ガード・インターバルを伝送のために処理するように構成された、少なくとも１つのプロセッサ、及び
該少なくとも１つのプロセッサに接続されたメモリ
を具備する装置。
【請求項２】
それぞれのデータ・ブロックの先頭にある該ガード・インターバルは、該データ・ブロックの終端にある該ガード・インターバルに等しい、請求項１の装置。
【請求項３】
それぞれのガード・インターバルは、不連続送信（ＤＴＸ）である、請求項１の装置。
【請求項４】
それぞれのガード・インターバルは、多相系列を具備する、請求項１の装置。
【請求項５】
該少なくとも１つのプロセッサは、少なくとも１つのデータ・ブロックの各集合にパイロットを追加するように構成される、請求項１の装置。
【請求項６】
少なくとも１つのデータ・ブロックの各集合は、２つの隣接ガード・インターバルを含む、そしてここにおいて、該２つの隣接ガード・インターバルの１つは、パイロットとして使用される、請求項１の装置。
【請求項７】
該少なくとも１つのプロセッサは、データ伝送のために使用されるそれぞれのスロットにおいて、第１ガード・インターバル、パイロット、第２ガード・インターバル、第１データ・ブロック、第３ガード・インターバル、及び第２データ・ブロックを送るように構成される、請求項１の装置。
【請求項８】
それぞれのスロットは、２５６０チップの期間を有し、ここにおいて、該第１データ・ブロックと該第３ガード・インターバルは、２０４８チップ期間の範囲内であり、そしてここにおいて、該第２データ・ブロックと該第１ガード・インターバルは、５１２チップ期間の範囲内である、請求項７の装置。
【請求項９】
該少なくとも１つのプロセッサは、データ伝送のために使用されるそれぞれのスロットのそれぞれ半分において、少なくとも３個のデータ・ブロックと少なくとも４個のガード・インターバル送るように構成される、請求項１の装置。
【請求項１０】
それぞれのスロットのそれぞれ半分の中の第１ガード・インターバルは、パイロットとして使用される、請求項９の装置。
【請求項１１】
データ・ブロックとガード・インターバルのそれぞれの対は、２の冪乗である期間の範囲内である、請求項１の装置。
【請求項１２】
該少なくとも１つのプロセッサは、該データ・ブロックと該ガード・インターバルを少なくとも１つの物理チャネルにマップするように、且つ、それぞれの物理チャネルに対する該データ・ブロックを該物理チャネルに対するチャネライゼーション・コードを用いてチャネライズするように構成される、請求項１の装置。
【請求項１３】
該少なくとも１つのプロセッサは、スクランブリング・コードを用いて、該少なくとも１つの物理チャネルに対してチャネライズされたデータ・ブロックをスクランブルするように構成される、請求項１２の装置。
【請求項１４】
該少なくとも１つのプロセッサは、該データ・ブロックと該ガード・インターバルを少なくとも１つの物理チャネル上で送るように、少なくとも１つの他の物理チャネル上でガード・インターバルのないデータを送るように、且つ、該ガード・インターバルに重なる該少なくとも１つの他の物理チャネルの部分にあるデータをパンクチャするように構成される、請求項１の装置。
【請求項１５】
該少なくとも１つのプロセッサは、該データ・ブロックと該ガード・インターバルを少なくとも１つの高速物理下り回線共有チャネル（ＨＳ−ＰＤＳＣＨ）にマップするように構成される、請求項１の装置。
【請求項１６】
該少なくとも１つのプロセッサは、該ガード・インターバルに重ならないシンボル周期において、送信出力命令（ＴＰＣ）とパイロットを部分専用物理チャネル（Ｆ−ＤＰＣＨ）上に送るよう、且つ、該ガード・インターバルに重なるシンボル周期において不連続送信（ＤＴＸ）を送るように構成される、請求項１の装置。
【請求項１７】
それぞれのデータ・ブロックが該データ・ブロックの先頭にガード・インターバルを有しそして該データ・ブロックの終端にガード・インターバルを有するように、該データ・ブロックにガード・インターバルを追加すること、及び
該データ・ブロックと該ガード・インターバルを伝送のために処理すること
を具備する方法。
【請求項１８】
それぞれのガード・インターバルは、不連続送信（ＤＴＸ）である、請求項１７の方法。
【請求項１９】
それぞれのガード・インターバルは、多相系列を具備する、請求項１７の方法。
【請求項２０】
少なくとも１つのデータ・ブロックの各集合にパイロットを追加することを更に具備する、請求項１７の方法。
【請求項２１】
該データ・ブロックと該ガード・インターバルを処理することは、
該データ・ブロックと該ガード・インターバルを少なくとも１つの物理チャネルにマップすること、及び
それぞれの物理チャネルに対する該データ・ブロックを該物理チャネルに対するチャネライゼーション・コードを用いてチャネライズすること
を具備する、請求項１７の方法。
【請求項２２】
それぞれのデータ・ブロックが該データ・ブロックの先頭にガード・インターバルを有しそして該データ・ブロックの終端にガード・インターバルを有するように、データ・ブロックにガード・インターバルを追加するための手段、及び
該データ・ブロックと該ガード・インターバルを伝送のために処理するための手段
を具備する装置。
【請求項２３】
それぞれのガード・インターバルは、不連続送信（ＤＴＸ）である、請求項２２の装置。
【請求項２４】
それぞれのガード・インターバルは、多相系列を具備する、請求項２２の装置。
【請求項２５】
少なくとも１つのデータ・ブロックの各集合にパイロットを追加するための手段を更に具備する、請求項２２の装置。
【請求項２６】
該データ・ブロックと該ガード・インターバルを処理するための該手段は、
該データ・ブロックと該ガード・インターバルを少なくとも１つの物理チャネルにマップするための手段、及び
それぞれの物理チャネルに対する該データ・ブロックを該物理チャネルに対するチャネライゼーション・コードを用いてチャネライズするための手段
を具備する、請求項２２の装置。
【請求項２７】
受信サンプルを逆多重化して既知の伝送に対する受信サンプルの第１ブロックと送信されたデータ・ブロックに対する受信サンプルの第２ブロックを求めるために構成され、ここにおいて、データ・ブロックはそれぞれのデータ・ブロックが該データ・ブロックの先頭にガード・インターバルを有しそして該データ・ブロックの終端にガード・インターバルを有するように送信される、受信サンプルの該第１ブロックに基づいてチャネル推定値を導出するために構成された、且つ、該チャネル推定値を用いて受信サンプルの該第２ブロックの等化を実行するために構成された、少なくとも１つのプロセッサ、及び
該少なくとも１つのプロセッサに接続されたメモリ
を具備する装置。
【請求項２８】
それぞれのガード・インターバルは、不連続送信（ＤＴＸ）であり、そしてここにおいて、該既知の伝送は時分割多重化（ＴＤＭ）パイロットである、請求項２７の装置。
【請求項２９】
それぞれのガード・インターバルは、多相系列を具備し、そしてここにおいて、該既知の伝送は該多相系列を具備する、請求項２７の装置。
【請求項３０】
該第１及び第２ブロックのそれぞれは、２の冪乗である期間を有する、そしてここにおいて、該少なくとも１つのプロセッサは、受信サンプルの該第１ブロックの第１高速フーリエ変換（ＦＦＴ）を実行するように、受信サンプルの該第２ブロックの第２ＦＦＴを実行するように、且つ、周波数ドメインにおいて等化を実行するように構成される、請求項２７の装置。
【請求項３１】
該少なくとも１つのプロセッサは、該第１ＦＦＴの出力に基づいて周波数ドメイン・チャネル利得推定値を導出するように、且つ、該チャネル利得推定値を用いて周波数ドメインにおいて第２ＦＦＴの出力の等化を実行するように構成される、請求項３０の装置。
【請求項３２】
該少なくとも１つのプロセッサは、受信サンプルの該第１ブロックに基づいて周波数ドメイン・チャネル利得推定値を導出するように、受信サンプルの該第２ブロックを変換して周波数ドメイン・シンボルを求めるように、該チャネル利得推定値を用いて該周波数ドメイン・シンボルの等化を実行して等化シンボルを求めるように、該等化シンボルを変換して時間ドメイン等化サンプルを求めるように、且つ、該等化サンプルのポスト等化を実行するように構成される、請求項２７の装置。
【請求項３３】
受信サンプルの該第２ブロックは、該送信されたデータ・ブロック及び該既知の系列を具備する、そしてここにおいて、該少なくとも１つのプロセッサは、該既知の系列に対する等化サンプルに基づいて少なくとも１つの係数を導出するように、且つ、該少なくとも１つの係数を用いて該送信されたデータ・ブロックに対する等化サンプルのポスト等化を実行するように構成される、請求項３２の装置。
【請求項３４】
該少なくとも１つのプロセッサは、逆スクランブリング・コードを用いて等化サンプルを逆スクランブルするように構成される、請求項２７の装置。
【請求項３５】
該少なくとも１つのプロセッサは、少なくとも１つの物理チャネルに対する少なくとも１つのチャネライゼーション・コードを用いて逆スクランブルされたサンプルを逆チャネライズするように構成される、請求項３４の装置。
【請求項３６】
既知の伝送に対する受信サンプルの第１ブロックと送信されたデータ・ブロックに対する受信サンプルの第２ブロックを求めるために受信サンプルを逆多重化すること、ここにおいて、データ・ブロックはそれぞれのデータ・ブロックが該データ・ブロックの先頭にガード・インターバルを有しそして該データ・ブロックの終端にガード・インターバルを有するように送信される、
受信サンプルの該第１ブロックに基づいてチャネル推定値を導出すること、及び
該チャネル推定値を用いて受信サンプルの該第２ブロックの等化を実行すること
を具備する方法。
【請求項３７】
それぞれのガード・インターバルは、不連続送信（ＤＴＸ）であり、そしてここにおいて、該既知の伝送は、時分割多重化（ＴＤＭ）パイロットである、請求項３６の方法。
【請求項３８】
それぞれのガード・インターバルは、多相系列を具備し、そしてここにおいて、該既知の伝送は、該多相系列を具備する、請求項３６の方法。
【請求項３９】
該チャネル推定値は、周波数ドメイン・チャネル利得推定値を具備する、そしてここにおいて、受信サンプルの該第２ブロックの等化を実行することは、
周波数ドメイン・シンボルを求めるために受信サンプルの該第２ブロックを変換すること、
等化シンボルを求めるために該チャネル利得推定値を用いて該周波数ドメイン・シンボルの等化を実行すること、及び
時間ドメイン等化サンプルを求めるために該等化シンボルを変換すること、
を具備する、請求項３６の方法。
【請求項４０】
受信サンプルの該第２ブロックは、該送信されたデータ・ブロック及び該既知の系列を具備する、そしてここにおいて、受信サンプルの該第２ブロックの等化を実行することは、
該既知の系列に対する等化サンプルに基づいて少なくとも１つの係数を導出すること、及び
該少なくとも１つの係数を用いて該送信されたデータ・ブロックに対する等化サンプルのポスト等化を実行すること
を更に具備する、請求項３９の方法。
【請求項４１】
既知の伝送に対する受信サンプルの第１ブロックと送信されたデータ・ブロックに対する受信サンプルの第２ブロックを求めるために受信サンプルを逆多重化するための手段、ここにおいて、データ・ブロックは、それぞれのデータ・ブロックが該データ・ブロックの先頭にガード・インターバルを有しそして該データ・ブロックの終端にガード・インターバルを有するように送信される、
受信サンプルの該第１ブロックに基づいてチャネル推定値を導出するための手段、及び
該チャネル推定値を用いて受信サンプルの該第２ブロックの等化を実行するための手段
を具備する装置。
【請求項４２】
それぞれのガード・インターバルは、不連続送信（ＤＴＸ）であり、そしてここにおいて、該既知の伝送は、時分割多重化（ＴＤＭ）パイロットである、請求項４１の装置。
【請求項４３】
それぞれのガード・インターバルは、多相系列を具備し、そしてここにおいて、該既知の伝送は、該多相系列を具備する、請求項４１の装置。
【請求項４４】
該チャネル推定値は、周波数ドメイン・チャネル利得推定値を具備する、そしてここにおいて、受信サンプルの該第２ブロックの等化を実行するための該手段は、
周波数ドメイン・シンボルを求めるために受信サンプルの該第２ブロックを変換するための手段、
等化シンボルを求めるために該チャネル利得推定値を用いて該周波数ドメイン・シンボルの等化を実行するための手段、及び
時間ドメイン等化サンプルを求めるために該等化シンボルを変換するための手段、
を具備する、請求項４１の装置。
【請求項４５】
受信サンプルの該第２ブロックは、該送信されたデータ・ブロック及び該既知の系列を具備する、そしてここにおいて、受信サンプルの該第２ブロックの等化を実行するための手段は、
該既知の系列に対する等化サンプルに基づいて少なくとも１つの係数を導出するための手段、及び
該少なくとも１つの係数を用いて該送信されたデータ・ブロックに対する等化サンプルのポスト等化を実行するための手段
を更に具備する、請求項４４の装置。
【発明の詳細な説明】
【関連文献】
【０００１】
［３５Ｕ．Ｓ．Ｃ．§１１９に基づく優先権の主張］
本特許出願は、２００５年３月２９日に提出され、本出願の譲受人に譲渡され、そして、本出願における参照としてここに明確に組み込まれた、“無線通信における改良された等化のための方法および装置（METHOD AND APPARATUS FOR IMPROVED EQUALIZATION IN WIRELESS COMMUNICATIONS）”と題する米国特許仮出願番号第６０／６６６，３３３号に優先権を主張する。
【技術分野】
【０００２】
本開示は、一般に通信に係わり、そして特に無線通信システムにおいてデータを送信しそして受信するための技術に関する。
【背景技術】
【０００３】
無線通信システムにおいて、送信機は、一般的には、トラフィック・データを処理して（例えば、符号化し、インターリーブし、シンボル・マップし、チャネライズし（channelize）、そしてスクランブルする）無線周波数（radio frequency）（ＲＦ）信号を生成し、そして、無線通信路を介して該ＲＦ信号を送信する。無線通信路は、チャネル応答によって該送信されたＲＦ信号を歪ませそして雑音と干渉によって信号を更に劣化させる。
【０００４】
受信機は、送信されたＲＦ信号を受信し、該受信されたＲＦ信号を処理してサンプルを取得する。受信機は、該サンプルに等化を実行して送信機により送られたチップの推定値を取得する。受信機は、次に該チップ推定値を処理して（例えば、逆スクランブルし、逆チャネライズし、復調し、デインターリーブし、そして、復号する）復号信号を取得する。受信機により実行される等化は、一般的に復号データの信頼性ばかりでなくチップ推定値の品質に大きな影響を有する。
【０００５】
従って当業界にあっては、受信機における等化を容易にする方法においてデータを送信する技術に対する要求がある。
【発明の概要】
【０００６】
本発明の一実施形態によれば、少なくとも１つのプロセッサとメモリを含む装置が説明される。該プロセッサは、それぞれのデータ・ブロックが該データ・ブロックの先頭にガード・インターバルを有しそして該データ・ブロックの終端にガード・インターバルを有するように、データ・ブロックにガード・インターバルを追加する。それぞれのガード・インターバルは、不連続送信（discontinuous transmission）（ＤＴＸ）、多相系列、或いは何かその他公知の系列であることが出来る。プロセッサは、次に該データ・ブロックと該ガード・インターバルを伝送のために処理する。
【０００７】
別の実施形態によれば、それぞれのデータ・ブロックが該データ・ブロックの先頭にガード・インターバルを有しそして該データ・ブロックの終端にガード・インターバルを有するように、ガード・インターバルがデータ・ブロックに追加される方法が提供される。該データ・ブロックと該ガード・インターバルは、次に伝送のために処理される。
【０００８】
別の実施形態によれば、それぞれのデータ・ブロックが該データ・ブロックの先頭にガード・インターバルを有しそして該データ・ブロックの終端にガード・インターバルを有するように、データ・ブロックにガード・インターバルを追加するための手段を含む装置が説明される。
【０００９】
更に別の実施形態によれば、少なくとも１つのプロセッサとメモリを含む装置が説明される。該プロセッサは、受信サンプルを逆多重化して、既知の伝送に対する受信サンプルの第１ブロックと送信されたデータ・ブロックに対する受信サンプルの第２ブロックを取得する。データ・ブロックは、それぞれのデータ・ブロックが該データ・ブロックの先頭にガード・インターバルを有しそして該データ・ブロックの終端にガード・インターバルを有するように、送信される。該プロセッサは、次に受信サンプルの第１ブロックに基づいてチャネル推定値を導出し、そして、該チャネル推定値を用いて受信サンプルの第２ブロックの等化を実行する。
【００１０】
更に別の実施形態によれば、受信サンプルが逆多重化されて、既知の伝送に対する受信サンプルの第１ブロックと送信されたデータ・ブロックに対する受信サンプルの第２ブロックを取得する方法が提供される、ここでデータ・ブロックは、それぞれのデータ・ブロックが該データ・ブロックの先頭にガード・インターバルを有しそして該データ・ブロックの終端にガード・インターバルを有するように、送信される。チャネル推定値が受信サンプルの第１ブロックに基づいて導出される。次に該チャネル推定値を用いて受信サンプルの第２ブロックの等化が実行される。
【００１１】
更に別の実施形態によれば、受信サンプルを逆多重化して、既知の伝送に対する受信サンプルの第１ブロックと送信されたデータ・ブロックに対する受信サンプルの第２ブロックを取得するための手段を含む装置が説明される、ここでデータ・ブロックは、それぞれのデータ・ブロックが該データ・ブロックの先頭にガード・インターバルを有しそして該データ・ブロックの終端にガード・インターバルを有するように、送信される。該装置は、更に受信サンプルの第１ブロックに基づいてチャネル推定値を導出するための手段と該チャネル推定値を用いて受信サンプルの第２ブロックの等化を実行するための手段を含む。
【００１２】
本発明の種々の態様と実施形態が下記で更に詳細に説明される。
【図面の簡単な説明】
【００１３】
【図１】図１は、ＵＭＴＳネットワークを示す。
【図２】図２は、多重キャリアの具体例の配置を示す。
【図３】図３は、Ｗ−ＣＤＭＡにおけるフレーム構成を示す。
【図４】図４は、Ｗ−ＣＤＭＡリリース５及び６におけるスロット構成を示す。
【図５】図５は、ＨＳ−ＰＤＳＣＨに対する等化をサポートするスロット構成を示す。
【図６Ａ】図６Ａは、等化をサポートする追加のスロット構成を示す。
【図６Ｂ】図６Ｂは、等化をサポートする追加のスロット構成を示す。
【図７Ａ】図７Ａは、ＨＳＤＰＡに対する追加のスロット構成を示す。
【図７Ｂ】図７Ｂは、ＨＳＤＰＡに対する追加のスロット構成を示す。
【図７Ｃ】図７Ｃは、ＨＳＤＰＡに対する追加のスロット構成を示す。
【図８】図８は、送信機と受信機のブロック図を示す。
【図９Ａ】図９Ａは、変調機の２つの実施形態のブロック図を示す。
【図９Ｂ】図９Ｂは、変調機の２つの実施形態のブロック図を示す。
【図１０Ａ】図１０Ａは、等化器の２つの実施形態のブロック図を示す。
【図１０Ｂ】図１０Ｂは、等化器の２つの実施形態のブロック図を示す。
【図１１】図１１は、データ及びパイロットを送信するためのプロセスを示す。
【図１２】図１２は、データ及びパイロットを受信するためのプロセスを示す。
【発明を実施するための形態】
【００１４】
“具体例の（exemplary）”という用語は、本明細書中では“例、例証、又は実例として働く”ということを意味するために使用される。本明細書中で“具体例の”と記載される何れの実施形態も、他の実施形態に対して優位である又は有利であると解釈される必要はない。
【００１５】
本明細書で説明される技術は、例えば、符号分割多元接続（Code Division Multiple Access）（ＣＤＭＡ）システム、時分割多元接続（Time Division Multiple Access）（ＴＤＭＡ）システム、及び周波数分割多元接続（Frequency Division Multiple Access）（ＦＤＭＡ）システムのような、種々の無線通信システムに対して使用されることが出来る。用語“システム”及び“ネットワーク”は、しばしば交換可能に使用される。ＣＤＭＡネットワークは、Ｗ−ＣＤＭＡ、ｃｄｍａ２０００等々のような、無線技術を実行することが出来る。ｃｄｍａ２０００は、ＩＳ−２０００標準、ＩＳ−８５６標準、及びＩＳ−９５標準を包含する。ＴＤＭＡネットワークは、グローバル・システム・フォー・モバイル・コミュニケーションズ（Global system for Mobile communications）（ＧＳＭ（登録商標））のような無線技術を実行することが出来る。これ等の種々の無線技術および標準は公知である。Ｗ−ＣＤＭＡとＧＳＭは、“第３世代パートナーシップ・プロジェクト（3rd Generation Partnership Project）”（３ＧＰＰ）と呼ばれる組織からの資料に説明されている。ｃｄｍａ２０００は、“第３世代パートナーシップ・プロジェクト２（3rd Generation Partnership Project 2）”（３ＧＰＰ２）と呼ばれる組織からの資料に説明されている。簡明を期するために、これ等の技術は、Ｗ−ＣＤＭＡを利用するＵＭＴＳネットワークに対して下記に具体的に説明され、そしてＵＭＴＳ用語が下記の説明において多く使用される。
【００１６】
図１は、複数のノードＢ１１０と複数の利用者装置（user equipment）（ＵＥ）１２０を持つＵＭＴＳネットワーク１００を示す。ノードＢは、一般にＵＥと通信する固定局であって、基地局、中継局、及び／又は何か他の用語で呼ばれることもできる。それぞれのノードＢ１１０は、特定の地理学的領域１０２に対して交信範囲を提供する。ＵＥ１２０は、一般的には、ネットワーク全体に分散されており、そしてそれぞれのＵＥは、固定されていることも移動可能であることもある。ＵＥは、移動局、利用者端末又は何か他の用語で呼ばれることも出来る。ＵＥは、セルラ電話、個人ディジタル補助装置（personal digital assistant）（ＰＤＡ）、無線装置、ハンドヘルド装置、無線モデム、等々であることが出来る。用語“ＵＥ”と“利用者”とは下記で交換可能に使用される。ＵＥは、下り回線及び／又は上り回線上において任意の所与の時点で、０個、１個、又は複数のノードＢと通信できる。下り回線（即ち、順方向リンク）は、ノードＢからＵＥへの通信リンクを指し、そして上り回線（即ち、逆方向リンク）は、ＵＥからノードＢへの通信リンクを指す。無線ネットワーク制御器（Radio Network Controller）（ＲＮＣ）１３０は、ノードＢ１１０に接続してノードＢに対して調整と制御を提供する。
【００１７】
Ｗ−ＣＤＭＡでは、ＵＥに送信されるデータは、１又は複数個のトランスポート・チャネルとしてより上位層で処理される。トランスポート・チャネルは、例えば、音声、動画像、パケット・データ、等々のような、１又は複数個のサービスに対してデータを運ぶことが出来る。トランスポート・チャネルは、物理層において物理チャネルにマップされる。複数の物理チャネルは、異なる直交可変拡散率（orthogonal variable spreading factor）（ＯＶＳＦ）コードを用いてチャネライズされて、符号領域において互いに直交する。ＯＶＳＦコードは、チャネライゼーション・コード（channelization code）とも呼ばれる。
【００１８】
Ｗ−ＣＤＭＡリリース５以降では高速下り回線パケット・アクセス（High-Speed Downlink Packet Access）（ＨＳＤＰＡ）をサポートする。ＨＳＤＰＡは、下り回線上の高速パケット・データ伝送を可能にする処理とチャネルのセットである。ＨＳＤＰＡに対して、データは、トランスポート・チャネルである高速下り回線共有チャネル（High Speed Downlink Shared Channel）（ＨＳ−ＤＳＣＨ）上に向けて多重化されるブロックにおいて処理される。ＨＳ−ＤＳＣＨは、物理チャネルである１からそれより多く（１５まで）の高速物理下り回線共有チャネル（High Speed Physical Downlink Shared Channel）（ＨＳ−ＰＤＳＣＨ）にマップされることが出来る。ＨＳ−ＰＤＳＣＨは、複数のＵＥに対して時分割多重化方式および符号分割多重化方式（ＴＤＭ／ＣＤＭ）でデータを運ぶことが出来る。ＨＳ−ＰＤＳＣＨに対する制御情報は、物理チャネルであるＨＳ−ＤＳＣＨに対する１または複数の共有制御チャネル（Shared Control Channel）（ＨＳ−ＳＣＣＨ）上で送られる。制御情報は、ＨＳ−ＰＤＳＣＨを適切に受信して処理するためにＵＥによって使用される種々のパラメータを伝達する。
【００１９】
ＵＭＴＳネットワーク１００は、１又は複数のＷ−ＣＤＭＡリリース群、例えばリリース９９（Ｒｅｌ−９９）、リリース５（Ｒｅｌ−５）、リリース６（Ｒｅｌ−６）及び／又はその後のリリースのようなもの、をサポートする。下記の説明では、リリースｘ（Ｒｅｌ−ｘ）は、リリース６より後のリリースである。
【００２０】
リリース５は、下記の特徴を導入する。
【００２１】
・下り回線上での最高データ速度１４．４メガビット／秒（megabits/second）（Ｍｂｐｓ）のためのＨＳＤＰＡ、
・２つのアンテナからの下り回線伝送のための空間時間送信ダイバーシティ（Space Time  Transmit Diversity）（ＳＴＴＤ）及び閉ループ送信ダイバーシティ、及び
・特定ＵＥへの個別パイロットの送信。
【００２２】
リリース６は、下記の特徴を導入する。
【００２３】
・最高データ速度４．１Ｍｂｐｓを持つ強化された上り回線、
・例えばハンドオフのために信号通信・メッセージを送るためのＨＳ−ＤＳＣＨへのＤＣＣＨのマッピング、
・ＴＤＭ方式で複数のＵＥに送信出力命令（transmit power command）（ＴＰＣ）と個別パイロットを送るための部分専用物理チャネル（Fractional Dedicated Physical Channel）（Ｆ−ＤＰＣＨ）、及び
・強化された放送能力のためのマルチメディア放送マルチキャスト・サービス（Multimedia Broadcast Multicast Service）（ＭＢＭＳ）。
【００２４】
リリース５及びリリース６は、リリース９９と後方互換性がある。後のリリースは、先のリリースと後方互換性があることもないこともある。
【００２５】
ＵＭＴＳネットワーク１００は、単一キャリア或いは複数キャリア上で動作することが出来る。それぞれのキャリアは、約５ＭＨｚの帯域幅を有して、特定の周波数を中心に置かれる。複数キャリアは、能力を改善するために使用されることが出来る。
【００２６】
図２は、複数キャリアの具体例の配置２００を示す。一般に、複数キャリアＷ−ＣＤＭＡ（ＭＣ−ＷＣＤＭＡ）に対しては任意の数のキャリアが配置されることが可能である。図２で示される実施形態では、１つのキャリアがリリース５をサポートするアンカー・キャリアとして指定される。残りのキャリアは、補助キャリアとして指定される。それぞれの補助キャリアは、リリース５、リリース６及び／又はリリースｘをサポートできる。アンカー・キャリアは、システム捕捉、接続、ページング、報知、等々をサポートする共通チャネルを運ぶことが出来る。これ等の共通チャネルは、下記を含むことが出来る。
【００２７】
・同期チャネル（Synchronization Channel）（ＳＣＨ）−捕捉のためのタイミングと情報を運ぶ。
【００２８】
・主共通制御物理チャネル（Primary Common Control Physical Channel）（Ｐ−ＣＣＰＣＨ）−システム・パラメータと接続パラメータを運ぶ。
【００２９】
・副（Secondary）ＣＣＰＣＨ（Ｓ−ＣＣＰＣＨ）−ページ・メッセージとＵＥがアイドル・モード（idle mode）の間に他のＵＥに向ける信号通信・メッセージを運ぶ。
【００３０】
・捕捉インジケータ・チャネル（Acquisition Indicator Channel）（ＡＩＣＨ）−接続プローブに対する応答を運ぶ。
【００３１】
・ページ・インジケータ・チャネル（Page Indicator Channel）（ＰＩＣＨ）−ページ・メッセージに対するページング・インジケータを運ぶ。及び、
・ＭＢＭＳインジケータ・チャネル（ＭＩＣＨ）−ＭＢＭＳメッセージに対するインジケータを運ぶ。
【００３２】
図２に示される複数キャリア構成に関しては、ＵＥは、最初電源が投入されたとき、先ずアンカー・キャリアに同調することが出来る。ＵＥは、ＳＣＨに基づいてシステム・タイミングを捕捉し、Ｐ−ＣＣＰＣＨを復号してシステム・パラメータと接続パラメータを取得し、物理ランダム・アクセス・チャネル（Physical Random Access Channel）（ＰＲＡＣＨ）上にアクセス・プローブを送り、そしてＡＩＣＨ上の応答を待つことが出来る。ＵＥは、次にＵＭＴＳネットワークとのセットアップと登録を実行することが出来て、その後ＣＥＬＬ−ＤＣＨ状態に入ることが出来る。ＣＥＬＬ−ＤＣＨ状態において、ＵＥは、個別チャネル（Dedicated Channel）（ＤＣＨ）を割り当てられ、そして、データを配送すること及び／又は受信することが出来る。ＵＥは、ネットワークとの通信のためにアンカー・キャリア上に留まることが出来る。ＵＥは、補助キャリアに切り替えられることも出来る。ＵＥは、スループットを改善するために複数キャリアを介してデータを受信すること及び／又は送信することが出来る。
【００３３】
それぞれの補助キャリアは、上に列挙された共通チャネルを運ぶことが出来るし或いは運ばないことも出来る。オーバヘッドを低減するために、ネットワークは、アンカー・キャリア上にのみ共通チャネルを送ることが出来る。この場合、ＵＥは、アンカー・キャリアへの同調をアイドル・モードの間と同様にシステム接続のためにも行うことが出来る。ＵＥは、ＣＥＬＬ−ＤＣＨ状態において１又は複数の補助キャリアに切り替えられることが出来る。ＵＥは、周波数間測定を行って測定結果をネットワークに報告することが出来る。ネットワークは、該測定結果に基づいてＵＥを適切なキャリアに誘導することが出来る。
【００３４】
図３は、Ｗ−ＣＤＭＡにおけるフレーム構成３００を示す。下り回線上の伝送に対するタイムラインは、複数の無線フレームに分割される。それぞれの無線フレームは、制御チャネル上に送信される１２ビットのシステム・フレーム番号（system frame number）（ＳＦＮ）によって識別される。それぞれの無線フレームは、１０ミリ秒（ｍｓ）の期間を有しており、更に、１５スロットに分割される。それ等は、スロット０からスロット１４とラベルを付される。それぞれのスロットは、２５６０チップを含み、そして、０．６６７ｍｓの期間を有する。それぞれのチップは、チップ・レート３．８４メガチップ／秒（Ｍｃｐｓ）に対して２６０．４２ナノ秒（ｎｓ）の期間を有する。
【００３５】
最大１５まで、ＨＳ−ＰＤＳＣＨは、ＨＳＤＰＡのためのそれぞれのキャリア上に送られる。ＨＳ−ＰＤＳＣＨは、サブフレームとも呼ばれる、伝送時間インターバル（transmission time interval）（ＴＴＩ）で送られる。それぞれのＴＴＩは、３スロットにわたり、２ｍｓの期間を有する。ＨＳ−ＰＤＳＣＨに対する新しいＴＴＩは、フレームの境界で開始する。ＨＳ−ＰＤＳＣＨは、拡散率１６を持つチャネライゼーション・コードを割り当てられる。ＨＳ−ＰＤＳＣＨに対して、それぞれのスロットは、１６０シンボル周期に亘り、そして、それぞれのシンボル周期は、１６チップを含む。データ・シンボルは、それぞれのシンボル周期内で送られることが出来る、そして、１６チップ・チャネライゼーション・コードでチャネライズ或いは拡散されて１６チップ周期内に送られる１６データ・チップ生成する。本明細書で使用されるように、データ・シンボルは、データのためのシンボルであり、パイロット・シンボルは、パイロットのためのシンボルであり、信号通信シンボルは、信号通信のためのシンボルであって、シンボルは、一般に複素値である。シンボルは、例えばＭ−ＰＳＫ或いはＭ−ＱＡＭのような、変調方式のための変調シンボルであることが出来る。パイロットは、送信機と受信機双方によって先験的に知られる伝送である。
【００３６】
図４は、リリース５及び６におけるある下り回線物理チャネルに対するスロット構成４００を示す。スロット構成は、スロット・フォーマット、データ及びパイロット構成、等々とも呼ばれる。主共通パイロット・チャネル（Primary Common Pilot Channel）（Ｐ−ＣＰＩＣＨ）は、スロット毎に１０個のパイロット・シンボルを運び、そして、チャネライゼーション・コードＣｃｈ２５６，０で拡散される。一般に、チャネライゼーション・コードＣｃｈＫ，ｋは、ＯＶＳＦコード・ツリーにおける長さＫに属するｋ番目のコードであって、ここにＫは、例えば１６、１２８、或いは２５６のような、２の任意の冪乗であることが出来る。Ｐ−ＣＣＰＣＨは、スロット毎に１０個の信号通信シンボルを運び、そして、チャネライゼーション・コードＣｃｈ２５６，１で拡散される。リリース５及び６では、最大１５までのＨＳ−ＰＤＳＣＨがチャネライゼーション・コードＣｃｈ１６，１からＣｃｈ１６，１５までを使用してＨＳＤＰＡに対して送られることが出来る。リリース５及び６で使用されるＨＳ−ＰＤＳＣＨは、本明細書中では、Ｒｅｌ−５  ＨＳ−ＰＤＳＣＨと呼ばれる。それぞれのＨＳ−ＰＤＳＣＨは、スロット毎に最大１６０までのデータ・シンボルを運び、そして、異なる１６チップのチャネライゼーション・コードで拡散される。リリース６では、Ｆ−ＰＤＣＨは、ノードＢによって選択されＵＥへの信号を送られることが出来る、２５６チップのチャネライゼーション・コードＣｃｈ２５６，ｆを使用して送られることが出来る。Ｆ−ＤＰＣＨは、ＴＰＣに対する最大１０までのシンボル及び／又は特定ＵＥに対する個別パイロットを運ぶことが出来る。
【００３７】
良好な通信性能を達成するためにはＵＥで等化を実施することが望ましい。等化は、例えば複数キャリアＨＳＤＰＡ（ＭＣ−ＨＳＤＰＡ）で想定されるデータ・レートのような高速データ・レートでは、特に重要である。一般に、等化は、時間ドメインまたは周波数ドメインで実施されることが出来る。多数のタップのある時間ドメイン等化器は、良好な通信性能を達成するために利用されることが出来る。時間ドメイン等化は、複雑になることがあり得る、というのは、タップが接続して引き出される、及び、大きな行列の逆変換が要求されることがあるためである。多数の係数を持つ周波数ドメイン等化器も良好な通信性能を達成するために使用されることが出来る。しかしながら、周波数ドメイン等化はより単純である、というのは、係数がそれぞれの周波数トーン或いはビンに対して分離して導出されることが出来るからである。従って、周波数ドメイン等化をサポートするスロット構成を有することが望ましい。
【００３８】
受信機における周波数ドメイン等化を容易にするために、送信機は、送信に先立ってデータ・ブロックの間にガード・インターバルを挿入できる。データ・ブロックの先頭にあるガード・インターバルは、プレフィックスと呼ばれ、そして、データ・ブロックの終端にあるガード・インターバルは、サフィックスと呼ばれる。それぞれのデータ・ブロックに対して、プレフィックスは、サフィックスに等しくあるべきである。この巡回的特性は、もしプレフィックスとサフィックスが十分に長ければ、無線チャネルに伴う線形畳み込みを円形畳み込みに変換する。該巡回的特性は、シンボル間干渉（inter-symbol interference）（ＩＳＩ）を抑えて、周波数ドメイン・シンボルを取得するために受信機がそれぞれの受信データ・ブロックの高速フーリエ変換（fast Fourier transform）（ＦＦＴ）を実行することを可能にする。受信機は、次に周波数ドメインにおけるこれ等のシンボルの、下記に説明されるような、等化を実行することが出来る。
【００３９】
図５は、ＨＳ−ＰＤＳＣＨに対する等化をサポートしそしてリリース５及び６と後方互換性がある、スロット構成の一実施形態５００を示す。この実施形態では、図４に対して上述で説明されたように、Ｐ−ＣＰＩＣＨは、チャネライゼーション・コードＣｃｈ２５６，０を用いて送られることが出来て、Ｐ−ＣＣＰＣＨは、チャネライゼーション・コードＣｃｈ２５６，１を用いて送られることが出来る。
【００４０】
最大１５までの新しいＨＳ−ＰＤＳＣＨが、チャネライゼーション・コードＣｃｈ１６，１からＣｃｈ１６，１５までを使用してＨＳＤＰＡに対して送られることが出来る。これ等の新しいＨＳ−ＰＤＳＣＨは、本明細書中ではＲｅｌ−ｘ  ＨＳ−ＰＤＳＣＨと呼ばれる。図５に示される実施形態では、Ｒｅｌ−ｘ  ＨＳ−ＰＤＳＣＨに対するスロットは、ガード・フィールド５１２、ＴＤＭパイロット（Ｐ）フィールド５１４、ガード・フィールド５１６、第１データ・フィールド５１８、ガード・フィールド５２０、第２データ・フィールド５２２を含む。それぞれのガード・フィールドは、２つの伝送の間に、例えば、２つのデータ・ブロックの間に、又は、データ・ブロックとパイロットとの間に、ガード・インターバルを供給する。図５に示される実施形態では、それぞれのガード・フィールドは、本質的に送信されないゼロ信号値を含む、ＤＴＸである。パイロット・フィールド５１４は、チャネル推定のために使用されることが出来るパイロット・シンボルを運ぶ。データ・フィールド５１８と５２２は、それぞれ任意の数のデータ・シンボルを含むことが出来るデータ・ブロックを運ぶことが出来る。
【００４１】
一般に、Ｒｅｌ−ｘ  ＨＳ−ＰＤＳＣＨのそれぞれのフィールドは、任意の適切に選択された期間を有することが出来る。それぞれのガード・フィールドは、１つのデータ・ブロックに対するプレフィックスとして、及び／又は、別のデータ・ブロックに対するサフィックスとして、使用されることが出来る。それぞれのガード・フィールドの期間は、有効遅延スプレッド（spread）以上になるように選択されることが出来る。該有効遅延スプレッドは、チャネル遅延スプレッドの和でありそしてルート・レイズド・コサイン（Root-Raised-Cosine）（ＲＲＣ）自己相関の時間広がりである。チャネル遅延スプレッドは、受信機への最初と最後の到来信号路間の期待される差である。ＲＲＣ自己相関は、送信機におけるＲＲＣパルス整形フィルタと受信機における整合フィルタとの間の相関である。十分に長いガード・フィールドは、ＩＳＩを低減する。
【００４２】
複数のＲｅｌ−５  ＨＳ−ＰＤＳＣＨ及び／又はＲｅｌ−ｘ  ＨＳ−ＰＤＳＣＨは、異なるチャネライゼーション・コードを使用して同時に送られることが出来る。この場合、Ｒｅｌ−ｘ  ＨＳ−ＰＤＳＣＨのそれぞれのフィールドは、ＨＳ−ＰＤＳＣＨに対するチャネライゼーション・コード長の整数倍、即ち１６・Ｌ、ここにＬ≧１、であるように選択されることが出来る。この制約は、同時に送られるＨＳ−ＰＤＳＣＨの間で直交性を保持する。具体例の実施形態では、それぞれのガード・フィールドは、４８チップに及び、パイロット・フィールドは、８０チップに及び、第１データ・フィールドは、２０００チップに及び、第２データ・フィールドは、３３６チップに及ぶ。この実施形態は、受信機がデータ・フィールド５１８で送られるデータ・ブロックに対する２０４８点ＦＦＴ及びデータ・フィールド５２２で送られるデータ・ブロックに対する５１２点ＦＦＴを実行することを可能にする。この実施形態では、ＴＤＭパイロットとガード・インターバルに対するオーバヘッドは、８．７５％である。Ｒｅｌ−ｘ  ＨＳ−ＰＤＳＣＨのフィールドは、他の期間を有することも出来る。
【００４３】
ある実施形態では、それぞれのＲｅｌ−ｘ  ＨＳ−ＰＤＳＣＨのデータ・フィールドは、該ＨＳ−ＰＤＳＣＨに対するチャネライゼーション・コードでチャネライズされる。ある実施形態では、それぞれのＲｅｌ−ｘ  ＨＳ−ＰＤＳＣＨのＴＤＭパイロットは、チャネライゼーション・コードＣｃｈ２５６，０を用いて送られる。この実施形態では、同じＴＤＭパイロットがＰ−ＣＰＩＣＨと同様に全てのＲｅｌ−ｘ  ＨＳ−ＰＤＳＣＨ上で送られる。このことは、ＴＤＭパイロット上の干渉を低減して受信機が更に精確なチャネル推定値を導出することを可能にする。ＴＤＭパイロットは、良好な時間的およびスペクトル的特性を有する任意の系列、例えば下記に説明される多相系列、であることが出来る。
【００４４】
図５に示されるＲｅｌ−ｘ  ＨＳ−ＰＤＳＣＨスロット構成は、種々の好ましい特徴を備える。第１に、プレフィックスとサフィックスがそれぞれのデータ・ブロックに対して供給される。このことは、受信機がそれぞれのデータ・ブロックに対する精確な周波数ドメイン処理を実行することを可能にする。特に、ガード・フィールド５１６は、プレフィックスでありそしてガード・フィールド５２０は、データ・フィールド５１８で送られるデータ・ブロックに対するサフィックスである。ガード・フィールド５２０は、データ・フィールド５２２で送られるデータ・ブロックに対するプレフィックスでもある、そして、次のスロット中のガード・フィールド５１６は、このデータ・ブロックに対するサフィックスである。このようにして、ガード・フィールド５１６と５２０は、１つのデータ・ブロックのためのプレフィックスとして、そして、もう１つのデータ・ブロックのためのサフィックスとしてそれぞれ有効に使用される。ガード・フィールド５１２は、パイロット・フィールド５１４で送られるＴＤＭパイロットを先行スロットのデータ・フィールド５２２で送られるデータ・ブロックから分離する。
【００４５】
ガード・フィールド５１２は、フィールド５１４で送られるパイロットに対する巡回構造を創る。この巡回構造は、チャネル推定目的のための周波数ドメイン処理をフィールド５２２で送られるデータに対する処理モードから独立させることを可能にする。パイロットの１つの利用において、チャネル推定は、パイロット・フィールド５１４を処理することによって等化の前に達成される。この利用を可能にするために、ガード・フィールド５１２は、ガード・フィールド５１６と５２０の長さに匹敵する長さを持つべきである。パイロットの別の利用においては、残留（residual）チャネル評価が等化の後にパイロット・フィールド５１４を処理することによって求められることが出来る。残留チャネルは、無線チャネルと等化器の複合効果を包含する。残留チャネルは、一般的には無線チャネルそれ自体よりも短い遅延スプレッドを有するので、この利用を可能にするためには、ガード・フィールド５１２は、ガード・フィールド５１６と５２０よりも短い長さであることが出来る。図５で示される具体例の実施形態では、ガード・フィールド５１２は、ガード・フィールド５１６と５２０の同一長さを持ち、従って、パイロット・フィールド５１４の利用を両方共サポートする。
【００４６】
ガード・フィールドに対するＤＴＸの利用は、スクランブルがある場合それぞれのデータ・ブロックに対する巡回特性を保存する。Ｗ−ＣＤＭＡでは、ノードＢは、割り当てられたチャネライゼーション・コードを用いてデータをそれぞれの物理チャネルに対してチャネライズし、すべての物理チャネルに対して該チャネライズされたデータを合算し、そしてスクランブリング・コードを用いて該合算されたデータをスクランブルし出力チップを生成する。もし所与のデータ・ブロックに対するプレフィックスとサフィックスは、等しいが非ゼロであるならば、その場合スクランブルは、結果としてサフィックスとは異なるプレフィックスをもたらす。その理由は、プレフィックスに適用されるスクランブリング・コード部分がサフィックスに適用されるスクランブリング・コード部分に等しいことはありそうにないからである。受信機は、最初に等化を実行して、逆スクランブルに引き継がれる。かくして、もしプレフィックスとサフィックスが非ゼロであるならば、その場合、等化が実行されるとプレフィックスは、最早サフィックスに等しくはないので、スクランブルは、データ・ブロックに対する巡回特性をパンクチャする、このことは、従って通信性能を劣化させる。プレフィックスとサフィックスに対するＤＴＸの使用は、等化の時に巡回特性を保存し、これは好ましい。
【００４７】
全ての物理チャネルは、結合され次にスクランブルされるので、Ｒｅｌ−ｘ  ＨＳ−ＰＤＳＣＨにおけるガード・インターバルの期間に他の物理チャネルからの伝送がないことが望ましい。Ｆ−ＤＰＣＨに対しては、図５に示されるように、ＤＴＸがＲｅｌ−ｘ  ＨＳ−ＰＤＳＣＨのガード・インターバルに重なる第１及び第９シンボル周期に送られることが出来る。最大４個のＵＥに対するＴＰＣと個別パイロットが、図５に示されるように、残りの８シンボル周期においてＦ−ＤＰＣＨ上をＴＤＭ方式で送られることが出来る。Ｆ−ＤＰＣＨは、符号分割多重化のために、殆どのデータ部分の期間Ｒｅｌ−ｘ  ＨＳ−ＰＤＳＣＨに直交する。
【００４８】
ノードＢは、Ｒｅｌ−ｘ利用者と同様Ｒｅｌ−５／６利用者を両者共サポートすることが出来る。Ｒｅｌ−５／６利用者は、リリース５及び／又はリリース６をサポートする利用者である。Ｒｅｌ−ｘ利用者は、図５に示されるＲｅｌ−ｘ  ＨＳ−ＰＤＳＣＨを受信することが出来る利用者である。ノードＢは、図５に示されるように、Ｒｅｌ−５／６利用者に向けてＦ−ＤＰＣＨ上にＴＰＣと個別パイロットを送信することが出来る。この場合、Ｒｅｌ−ｘ利用者は、Ｒｅｌ−５／６利用者に影響を及ぼさないし、またその逆も同様である。代わりに或いは付加的に、ノードＢは、Ｒｅｌ−５／６利用者をサポートするために連続Ｐ−ＣＰＩＣＨを送信出来る、そして、図４に示されるスロット構成を利用してＲｅｌ−５  ＨＳ−ＰＤＳＣＨを送信することも出来る。ノードＢは、Ｐ−ＣＣＰＣＨ及び／又は他の物理チャネルを送信することも出来る。この場合、Ｒｅｌ−ｘ  ＨＳ−ＰＤＳＣＨのガード・インターバルに重なるそれぞれの物理チャネルは、巡回特性を乱し、従って、Ｒｅｌ−ｘ利用者に影響を及ぼす。これ等の物理チャネルのそれぞれに対して、ノードＢは、巡回特性を保持するためにＲｅｌ−ｘ  ＨＳ−ＰＤＳＣＨのガード・インターバルに重なる物理チャネルの部分をパンクチャする（puncture（破壊する））（即ち、ＤＴＸと入れ替える）或いは弱めるの何れかを行うことが出来る。パンクチャによるＲｅｌ−５／６利用者への性能低下は、小さいといえる、というのは、該ガード・インターバル（例えば３×４８チップ）は、スロットの小部分（例えば５．６％）を表しているからである。Ｒｅｌ−ｘ  ＨＳ−ＰＤＳＣＨは、他の仕方ではＲｅｌ−５／６利用者に影響を及ぼさない。
【００４９】
図６Ａは、ＨＳ−ＰＤＳＣＨに対する等化をサポートする別の実施形態のスロット構成６１０を示す。この実施形態では、Ｒｅｌ−ｘ  ＨＳ−ＰＤＳＣＨに対するスロットは、５１２チップからなる５つの部分に分割される。それぞれの部分は、データ・フィールド６１２とガード・フィールド６１４を含む。中間部分は、ＴＤＭパイロット（Ｐ）フィールド６１６とガード・フィールド６１８を更に含む。図６Ａに示される実施形態では、それぞれのガード・フィールドは、ＤＴＸである。従って、それぞれのデータ・フィールド６１２は、ＤＴＸプレフィックスによって左側面を守られそしてＤＴＸサフィックスによって右側面も守られる。ある実施形態では、中央セグメントを除く各セグメントにおけるデータ・フィールド６１２は、４６４チップの期間を有し、中央セグメントにおけるデータ・フィールド６１２は、３３６チップの期間を有し、それぞれのガード・フィールドは、４８チップの期間を有し、そしてＴＤＭパイロット・フィールド６１６は、８０チップの期間を有する。それ等のフィールドは、他の期間を有することも出来る。この実施形態は、受信機がそれぞれのセグメントに対して５１２点ＦＦＴを実行することを可能にする。受信機は、計算を削減することが出来る、単一の周波数ドメイン等化器を利用して５セグメントに対する周波数ドメイン等化を実行することも出来る。ＴＤＭパイロットは、スロットの中央付近に置かれて、スロットの最初と最後のセグメントに対し同様な品質のチャネル推定値を提供することが出来る。
【００５０】
図６Ｂは、ＨＳ−ＰＤＳＣＨに対する等化をサポートする更に別の実施形態のスロット構成６３０を示す。この実施形態では、Ｒｅｌ−ｘ  ＨＳ−ＰＤＳＣＨに対するスロットは、ガード・フィールド６３２、ＴＤＭパイロット（Ｐ）フィールド６３４、ガード・フィールド６３６、及びデータ・フィールド６３８を含む。この実施形態は、スロット内のガード・フィールドの数を最小にする。
【００５１】
図５、６Ａと６Ｂは、Ｒｅｌ−ｘ  ＨＳ−ＰＤＳＣＨに対する周波数ドメイン等化をサポートし、そして他の物理チャネルもサポートする、スロット構成のいくつかの実施形態を示す。Ｒｅｌ−ｘ  ＨＳ−ＰＤＳＣＨのガード・インターバルに対するＤＴＸの使用は、スクランブルがある場合に巡回特性を保存する。巡回特性に対するある種の性能劣化は、ガード・インターバルの期間に送られる他の物理チャネルに由来することがあり、これは、Ｒｅｌ−ｘ利用者の通信性能に影響を及ぼす。この性能劣化は、ガード・インターバルの期間他の物理チャネルをパンクチャすることによって回避され得るが、これは、Ｒｅｌ−５／６利用者の通信性能に影響を及ぼす。ネットワークは、（１）同一搬送波上でＲｅｌ−５／６利用者とＲｅｌ−ｘ利用者の双方を同時にサポートするかどうか、を判断することが出来て、もしサポートするならば、（２）Ｒｅｌ−５／６利用者とＲｅｌ−ｘ利用者の通信性能の間の取引を決めることが出来る。これ等の判断は、搬送波毎を基準に行われることが出来る。
【００５２】
種々の他のスロット構成も定義されることが出来る。もしスクランブルが実行されないならば、その場合良好な時間的スペクトル的特性をもつ非ゼロ・プレフィックス系列がガード・インターバルに対して使用されることが出来る。このプレフィックス系列は、ガード・インターバルの期間にノードＢにおいて利用可能な送信電力の完全利用を許容する。該プレフィックス系列は、ＵＥがより良好な通信性能を達成することも可能にできる。
【００５３】
図７Ａは、ＨＳＤＰＡに対するスロット構成の一実施形態７１０を示す。この実施形態では、スロットは、１２８０チップの２つの半スロットに分割される。それぞれの半スロットは、パイロット（Ｐ）フィールド７１２、データ・フィールド７１４、ガード（Ｇ）フィールド７１６、データ・フィールド７１８、ガード・フィールド７２０、データ・フィールド７２２、及びガード・フィールド７２４を含む。パイロットは、プレフィックスとも呼ばれることが出来、そしてそれぞれのガード・インターバルは、サフィックスとも呼ばれることが出来る。
【００５４】
一般に、それぞれのフィールドは、任意の適切な期間を有することが出来る。ある実施形態では、データ・フィールド７１４及び７１８は、それぞれ４４８チップの期間を有し、データ・フィールド７２２は、１２８チップの期間を有し、パイロット・フィールド７１２は、６４チップの期間を有し、そして各ガード・フィールドは、６４チップの期間を有する。この実施形態は、図７Ａに示されるように、受信機が、データ・フィールド７１４及び７１８のそれぞれに対して５１２点ＦＦＴ、データ・フィールド７２２対して２５６点ＦＦＴ、を実行できるようにする。図７Ａにおける実施形態は、６４チップのガード・インターバルを有する。これは、図５から６Ｂまでの実施形態に対して使用される４８チップのガード・インターバルより長い。より長いガード・インターバルは、より大きなオーバヘッドの代価として長いチャネル遅延スプレッドに対してより頑健である。これ等のフィールドは、又他の期間を有することも出来る。
【００５５】
図７Ｂは、ＨＳＤＰＡに対するスロット構成の別の実施形態７３０を示す。この実施形態では、スロットは、パイロット（Ｐ）フィールド７３２、データ・フィールド７３４、ガード（Ｇ）フィールド７３６、データ・フィールド７３８、及びガード・フィールド７４０を含む。ある実施形態では、データ・フィールド７３４は、１９８４チップの期間を有し、データ・フィールド７３８は、３８４チップの期間を有し、パイロット・フィールド７３２は、６４チップの期間を有し、そして各ガード・フィールドは、６４チップの期間を有する。この実施形態は、図７Ｂに示されるように、受信機が、データ・フィールド７３４に対して２０４８点ＦＦＴ、データ・フィールド７３８対して５１２点ＦＦＴ、を実行できるようにする。これ等のフィールドは、又他の期間を有することも出来る。
【００５６】
図７Ｃは、ＨＳＤＰＡに対するスロット構成の更に別の実施形態７５０を示す。この実施形態では、スロットは、パイロット（Ｐ）フィールド７５２、データ・フィールド７５４、ガード（Ｇ）フィールド７５６、を含む。ある実施形態では、データ・フィールド７５４は、２４３２チップの期間を有し、パイロット・フィールド７５２は、６４チップの期間を有し、そしてガード・フィールド７５６は、６４チップの期間を有する。これ等のフィールドは、又他の期間を有することも出来る。この実施形態は、スロット内のガード・フィールド数を最小にする。
【００５７】
種々の他のスロット構成が定義されることも出来る。一般に、それぞれのスロットは、任意の数のデータ・フィールド、任意の数のパイロット・フィールド、及び任意の数のガード・フィールドを含むことが出来る。スロットは、追加の及び／又は異なるフィールドを含むことも出来る。それぞれのフィールドは、任意の適切な期間を有することが出来る。ガード・フィールドの期間は、有効遅延スプレッドに基づいて選択されることが出来る。パイロット・フィールドの期間は、有効遅延スプレッドに基づいて、及び望ましいチャネル推定性能に基づいて、選択されることが出来る。データ・フィールドの期間は、受信機における煩雑性（例えば、時間ドメインと周波数ドメインとの間の変換、等化、等々のための）とガード・インターバルに対するオーバヘッド量との間の取引に基づいて、選択されることが出来る
図７Ａから図７Ｃに示される実施形態では、それぞれのデータ・フィールドは、ガード・フィールド（又はサフィックス）によって右側面を守られそしてパイロット・フィールド又はガード・フィールドの何れかによって左側面を守られる。パイロット及びサフィックスは、異なる目的のために使用されることが出来る。特に、パイロットは、周波数ドメイン等化の前にチャネル推定値を求めるために使用されることが出来る、そして、サフィックスは、周波数ドメイン等化後の残留ＩＳＩ補正のために使用されることが出来る。
【００５８】
ある実施形態において、パイロット・フィールドとガード・フィールドは、同じプレフィックス系列を運ぶ。種々の系列がプレフィックス系列として使用され得る。ある実施形態においては、良好な時間的およびスペクトル的特性を持つ多相系列がプレフィックス系列として使用される。良好な時間的およびスペクトル的特性は、全システム帯域幅の全体にわたる一定振幅周波数応答、一定時間ドメイン・エンベロープ（envelope）、ゼロ・オフセットに対する場合を除き全ての時間オフセットにおいてゼロとなる自己相関、及び／又は他の特性、によって定量化されることが出来る。種々の多相系列が、チュー（Chu）系列、ゴロム（Golomb）系列、Ｐ１、Ｐ３、Ｐ４及びＰｘ系列、及びフランク（Frank）系列を含み、利用可能である。チュー系列は、下記のように表わされることが出来る。
【数１】
2011125024.tif 000003
【００５９】
ここにｐ（ｎ）は、式（１）におけるチュー系列である、多相系列のチップを表し、Ｐは、該多相系列の長さである。一般に、Ｐは、１より大きい任意の整数値であることが出来る。ある実施形態では、Ｐ＝６４であって、６４チップのチュー系列が図７Ａから図７Ｃにおけるそれぞれのパイロット・フィールド及びガード・フィールドにおいて送られることが出来る。
【００６０】
図７Ａから図７Ｃに示されるスロット構成を使用して、データは、種々の方法で送られることが出来る。１つの実施形態では、単一のＲｅｌ−ｘ  ＨＳ−ＰＤＳＣＨがチャネライゼーション又はスクランブリングなしで送られる。この実施形態では、データ・シンボルは、それぞれのデータ・フィールドの各チップ周期で送られることが出来る。別の実施形態では、複数のＲｅｌ−ｘ  ＨＳ−ＰＤＳＣＨが同時に送られることが出来て、それぞれのＲｅｌ−ｘ  ＨＳ−ＰＤＳＣＨに対するデータ・ブロックは、図５に対して上述で説明されたように、異なるチャネライゼーション・コードを用いてチャネライズされる。スクランブリングは、データ・ブロックに対する巡回特性が乱されないように、データ・ブロック上で実行されることが出来るが、パイロット及びガード・インターバル上では出来ない。
【００６１】
図７Ａ、図７Ｂ、又は図７Ｃで示されるスロット構成に対しては、パイロットに対する受信サンプルは、下記のように表わされることが出来る。
【数２】
2011125024.tif 000004
【００６２】
ここに、ｃ（ｎ）はパイロットによって観測される有効チャネル応答であり、
ｐ（ｎ）はパイロットに対する送信サンプルを表し、
ｙｐ（ｎ）はパイロットに対する受信サンプルを表し、
ｗｐ（ｎ）はパイロットに対する雑音を表し、そして
【数３】
2011125024.tif 000005
【００６３】
は円形畳み込みの記号である。
【００６４】
有効チャネル応答は、下記のように与えられることが出来る。
【数４】
2011125024.tif 000006
【００６５】
ここに、ｈ（ｎ）は送信機におけるパルス整形フィルタの応答であり、
ｃ´（ｎ）は無線チャネルの応答であり、そして
ｈ＊（−ｎ）は受信機における整合フィルタの応答である。
【００６６】
受信機は、パイロットに対する受信サンプルのＦＦＴを実行できて周波数ドメイン・シンボルを得る。それは、下記のように表わされる。
【数５】
2011125024.tif 000007
【００６７】
ここに、Ｙｐ（ｋ）、Ｃ（ｋ）、Ｐ（ｋ）及びＷｐ（ｋ）は、それぞれｙｐ（n）、ｃ（n）、ｐ（n）及びｗｐ（n）の周波数ドメイン表示であり、そして、Ｐは、パイロット・フィールドの期間である。
【００６８】
受信機は、下記のように、最小平均２乗誤差（minimum mean square error）（ＭＭＳＥ）基準に基づいてチャネル周波数応答推定値を導出することが出来る。
【数６】
2011125024.tif 000008
【００６９】
ここに、
【数７】
2011125024.tif 000009
【００７０】
はトーンｋに対して期待されるチャネル・エネルギーであり、
【数８】
2011125024.tif 000010
【００７１】
はトーンｋに対して期待される雑音エネルギーであり、
【数９】
2011125024.tif 000011
【００７２】
は期待演算を表す記号であり、そして
Ｃ∧（ｋ）は、トーンｋに対するチャネル利得推定値である。
【００７３】
Ｒｃｃ（ｋ）とＲｗｐ（ｋ）は、先行受信サンプルに基づいて導出されることができる雑音統計値及び先験的チャネル統計値を表す。
【００７４】
受信機は、ゼロ−フォーシング（zero-forcing）ＭＭＳＥ（ＺＦ−ＭＭＳＥ）基準に基づいて、下記のように、チャネル周波数応答推定値を導出することも出来る。
【数１０】
2011125024.tif 000012
【００７５】
式（６）は、Ｒｃｃ（ｋ）＞０且つＲｗｐ（ｋ）＝０の場合、式（５）に等しい。
【００７６】
受信機は、Ｐ個のトーン、即ちｋ＝０、．．．、Ｐ−１、のそれぞれに対するチャネル利得推定値を導出する。受信機は、次にＰ個のチャネル利得推定値のＰ点逆ＦＦＴ（ＩＦＦＴ）を実行して、Ｐ個のチャネル・タップを用いて時間ドメイン・チャネル・インパルス応答推定値を求めることが出来る。受信機は、予め決められた閾値未満の低エネルギーを持つチャネル・タップをゼロ・アウトし、Ｎ個の全チャネル・タップとゼロを得るためにゼロを挿入し、そしてＮ点ＦＦＴを実行してＮ個のトーンに対してＮ個のチャネル利得推定値を持つチャネル周波数応答推定値を求めることが出来る。Ｎは、データ・ブロックに対するトーンの数であって、図７Ａにおける、データ・フィールド７１４と７１８に対しては５１２、データ・フィールド７２２に対しては２５６、に等しくすることが出来る。受信機は、雑音と推定誤差を低減するために、受信サンプル、チャネル利得推定値、及び／又は複数のパイロット伝送にわたるチャネル・タップ、をフィルタすることが出来る。
【００７７】
データ・ブロックに対する受信サンプルは、下記のように表わされることが出来る。
【数１１】
2011125024.tif 000013
【００７８】
ここに、ｂ（ｎ）はデータ・ブロックとそのサフィックスに対する送信サンプルを表し、
ｙｂ（ｎ）はデータ・ブロックとそのサフィックスに対する受信サンプルを表し    、そして
ｗｂ（ｎ）は雑音を表す。
【００７９】
図７Ａにおける、フィールド７１４で送られるデータ・ブロック及びフィールド７１６で送られるガード・インターバル／サフィックスに対する送信サンプルは、下記のように表わされることが出来る。
【数１２】
2011125024.tif 000014
【００８０】
ここに、ｄ（ｎ）はデータ・フィールド７１４で送られるデータ・ブロックにおけるサンプルを表し、そして
ｇ（ｎ）はガード・フィールド７１６で送られるプレフィックス系列におけるサンプルを表す。
【００８１】
サフィックスに対するプレフィックス系列ｇ（ｎ）は、パイロットに対するプレフィックス系列ｐ（ｎ）に等しい、即ちｇ（ｎ）＝ｐ（ｎ）、とすることが出来る。
【００８２】
受信機は、データ・ブロックに対する受信サンプルのＦＦＴを実行して周波数ドメイン・シンボルを求めることが出来る。該シンボルは、下記のように表わされることが出来る。
【数１３】
2011125024.tif 000015
【００８３】
ここに、Ｙｂ（ｋ）、Ｃ（ｋ）、Ｂ（ｋ）及びＷｂ（ｋ）は、それぞれｙｂ（n）、ｃ（n）、ｂ（n）及びｗｂ（n）の周波数ドメイン表示であり、そして、Ｄは、データ・ブロックとガード・インターバルの大きさである。
【００８４】
受信機は、下記のように、ＭＭＳＥ基準に基づいてデータ・ブロックに対する周波数ドメイン等化を実行できる。
【数１４】
2011125024.tif 000016
【００８５】
ここに、
【数１５】
2011125024.tif 000017
【００８６】
はトーンｋに対して期待される信号エネルギーであり、
【数１６】
2011125024.tif 000018
【００８７】
はトーンｋに対して期待される雑音エネルギーであり、
Ｂ∧（ｋ）はトーンｋに対する等化シンボルであって、これはＢ（ｋ）の推定値である。
【００８８】
Ｒｂｂ（ｋ）とＲｗｂ（ｋ）は、先行受信サンプルに基づいて導出されることができる信号統計値及び雑音統計値を表す。
【００８９】
受信機は、下記のように、ＺＦ−ＭＭＳＥ基準に基づいてデータ・ブロックに対する周波数ドメイン等化を実行することもできる。
【数１７】
2011125024.tif 000019
【００９０】
受信機は、等化シンボルのＩＦＦＴを実行してデータ・ブロックに対する等化サンプルｂ∧（ｎ）を求めることが出来る。データ・フィールド７１４に対する等化サンプルｄ∧（ｎ）とサフィックス・フィールド７１６に対する等化サンプルｂ∧（ｎ）は、下記のように求められることが出来る。
【数１８】
2011125024.tif 000020
【００９１】
等化サンプルは、残留ＩＳＩを有し、これは、ポスト時間ドメイン等化で補償されることが出来る。雑音がなく且つ完全な等化の場合、送信サフィックスと受信サフィックスは、同一であるはずである。送信サフィックスは、時間ドメイン等化に対する参照信号として使用されることが出来る。残留ＩＳＩは、チャネル遅延スプレッドより小さな持続時間に広がる。この事実は、時間ドメイン等化器の複雑性を低減するために利用されることが出来る。
【００９２】
受信機は、下記のようにチャネル利得誤差を決定できる。
【数１９】
2011125024.tif 000021
【００９３】
ここに、Ｅ（ｋ）は、トーンｋに対するチャネル利得誤差である。
【００９４】
一般に、Ｅ（ｋ）は、パイロット又はサフィックスの何れか或いは両方に基づいて導出されることが出来る。パイロットは、周波数ドメイン等化器の諸係数を動かすために使用され、従って、独立な新情報を供給することはできない。この観点から、サフィックスを使用することがより良いといえる。しかしながら、Ｅ（ｋ）は、時間ドメイン等化器のタップの設定位置を決めることにのみ使用され、この等化器のタップを引き出すことには使用されないので、パイロット又はサフィックスの何れか一方或いは両方がＥ（ｋ）を導出するために使用されることが出来る。Ｅ（ｋ）は、パイロットとサフィックスのそれぞれに対して別々に計算されることが出来る。そこで、それぞれのデータ・ブロックに対して、平均Ｅ（ｋ）が数少ない近接パイロット及び／又はサフィックスに基づいて計算されて、そのデータ・ブロックに対する等化器タップ位置を決めるために使用されることが出来る。
【００９５】
受信機は、全Ｐ個のトーンに対して、下記のように、チャネル利得誤差を変換することが出来る。
【数２０】
2011125024.tif 000022
【００９６】
ここに、ｅ（ｎ）は、Ｅ（ｋ）の時間ドメイン表示である。式（１４）から得られるＰ個のタップは、それぞれ閾値と比較されることが出来て、閾値を超えるタップの指標は、重要なタップ位置と考えられ得る。単一の最も強いタップが特定されることが出来て、この最も強いタップに対する単一の重要なタップ位置が使用されることが出来る。該重要なタップ位置は、｛τｌ｝と記されることが出来る。
【００９７】
時間ドメイン等化器の係数は、下記の最適化を解くことによって導出されることが出来る。
【数２１】
2011125024.tif 000023
【００９８】
ここに、ａ（ｌ）は仮定された時間ドメイン等化器であり、そして
φ（ａ）はａ（ｌ）に対する累積平均２乗誤差である。
【００９９】
式（１５）では、残留ＩＳＩは
【数２２】
2011125024.tif 000024
【０１００】
と推定される。残留ＩＳＩと送信サフィックスｇ（ｎ）は、等化サフィックスｇ∧（ｎ）から差し引かれて、結果得られた誤差が２乗され累積されてφ（ａ）を得る。
【０１０１】
異なる集合の係数ａ（ｌ）が評価されることが出来て、最小のφ（ａ）を与える集合が下記のように選択されることが出来る。
【数２３】
2011125024.tif 000025
【０１０２】
ＭＭＳＥ解或いはＺＦ−ＭＭＳＥ解が式（１５）及び式（１６）で示される最適化に対して導出されることが出来る。該解は、時間ドメイン等化器に対して係数ａｏｐｔ（ｌ）の集合を供給する。受信機は、次に下記のような時間ドメイン等化を実行することが出来る。
【数２４】
2011125024.tif 000026
【０１０３】
ここに、
【数２５】
2011125024.tif 000027
【０１０４】
はデータ・ブロックに対する推定された残留ＩＳＩを表し、そして
ｄ〜（ｎ）は残留ＩＳＩが除かれて改良された等化データを表す。
【０１０５】
上記で説明されたように、サフィックスは、時間ドメイン等化器に対して係数を導出するために使用されることが出来て、該係数は、次にデータ・ブロックにおける残留ＩＳＩを除くために使用されることが出来る。
【０１０６】
図８は、送信機８１０と受信機８５０の一実施形態のブロック図を示す。送信機８１０は、ノードＢの一部であることが出来、そして、受信機８５０は、ＵＥの一部であることが出来る。送信機８１０では、送信（transmit）（ＴＸ）データ・プロセッサ８２０がトラッフィック・データを処理して（例えば、符号化し、インターリーブし、そしてシンボル・マップする）、データ・シンボルを生成する。プロセッサ８２０は、信号通信シンボルとパイロット・シンボルも生成する。変調機８３０は、システムによって特定された方法でデータ・シンボル、信号通信シンボル及びパイロット・シンボルを処理して、出力チップを供給する。送信機ユニット（ＴＭＴＲ）８３２は、出力チップを処理して（例えば、アナログに変換し、増幅し、フィルタ処理し、そして周波数アップコンバートする）、アンテナ８３４から送信されるＲＦ信号を生成する。
【０１０７】
受信機８５０では、アンテナ８５２が送信されたＲＦ信号を受信して、受信ＲＦ信号を供給する。受信機ユニット（ＲＣＶＲ）８５４は、受信ＲＦ信号を調整して（例えば、フィルタし、増幅し、周波数ダウンコンバートし、そして、ディジタル化して）、受信サンプルを供給する。等化器８６０は、受信サンプルの等化を実行して等化サンプルを供給する。等化器８６０は、周波数ドメイン等化器（frequency-domain equalizer）（ＦＤＥ）及び／又は時間ドメイン等化器を実装することが出来る。復調器（Ｄｅｍｏｄ）８７０は、変調器８３０による処理に相補的な方法で等化サンプルを処理し、そして、シンボル推定値を供給する。受信（ＲＸ）データ・プロセッサ８７２は、シンボル推定値を処理して（例えば、シンボル・デマップし、デインターリーブし、そして、復号して）、復号データ及び信号通信を提供する。一般に、復調器８７０とＲＸデータ・プロセッサ８７２による処理は、送信機８１０における変調器８３０とＴＸデータ・プロセッサ８７２による処理にそれぞれ相補的である。
【０１０８】
制御器／プロセッサ８４０と８８０は、それぞれ送信機８１０と受信機８５０における種々の処理ユニットの動作を指令する。メモリ８４２と８８２は、それぞれ送信機８１０と受信機８５０に対するデータとプログラム・コードを記憶する。
【０１０９】
図９Ａは、図８における変調器８３０の一実施形態である、変調器８３０ａのブロック図を示す。変調器８３０ａは、図５から図６Ｂにかけて示されるスロット構成に対して使用されることが出来る。変調器８３０ａは、任意の数のＲｅｌ−５  ＨＳ−ＰＤＳＣＨ及び任意の数のＲｅｌ−ｘ  ＨＳ−ＰＤＳＣＨを含むことが出来て、最大１５までのＨＳ−ＰＤＳＣＨをサポートする。
【０１１０】
変調器８３０ａの内部では、それぞれの物理チャネルに対するシンボルがそれぞれのチャネライザ９１０に供給される。該チャネライザは、該物理チャネルに対するチャネライゼーション・コードを用いて該シンボルをチャネライズする。パンクチャ・ユニット９１２ａから９１２ｉは、それぞれＲｅｌ−５  ＨＳ−ＰＤＳＣＨに対するチャネライザ９１０ａから９１０ｉの出力を受信し、そして、Ｒｅｌ−ｘ  ＨＳ−ＰＤＳＣＨにおけるパイロット及び／又はガード・インターバルと重複する部分のＲｅｌ−５  ＨＳ−ＰＤＳＣＨをパンクチャすることが出来る。同様に、パンクチャ・ユニット９１２ｑと９１２ｒは、それぞれチャネライザ９１０ｑと９１０ｒの出力を受信し、そして、Ｒｅｌ−ｘ  ＨＳ−ＰＤＳＣＨにおけるパイロット及び／又はガード・インターバルと重複する部分のＰ−ＣＰＩＣＨとＰ−ＣＣＰＣＨをパンクチャすることが出来る。多重化装置（multiplexer）（Ｍｕｘ）９１４は、（１）伝送のために使用されるシンボル周期においてチャネライザ９１０ｓの出力を規定し、（２）伝送のために使用されないシンボル周期においてＤＴＸを規定する。後者は、Ｒｅｌ−ｘ  ＨＳ−ＰＤＳＣＨにおけるパイロット及び／又はガード・インターバルと重複するシンボル周期であり得る。パンクチャ・ユニット９１２と多重化装置９１４は、省略されることも出来る。
【０１１１】
合算器９１６は、Ｒｅｌ−ｘ  ＨＳ−ＰＤＳＣＨに対するチャネライザ９１０ｊから９１０ｐの出力を合算する。それぞれのスロットで、多重化装置９１８は、データ・フィールドに対して合算器９１６の出力を与え、ガード・フィールドに対してＤＴＸを与え、そして、パイロット・フィールドに対してＴＤＭパイロットを与える。合算器９２０は、パンクチャ・ユニット９１２及び多重化装置９１４と９１８の出力を合算する。スクランブラ９２２は、ノードＢに割り当てられたスクランブリング・コードを用いて合算器９２０の出力をスクランブルして、ノードＢに対し出力チップを与える。
【０１１２】
図９Ｂは、図８における変調器８３０の別の実施形態である、変調器８３０ｂのブロック図を示す。変調器８３０ｂは、図７Ａから図７Ｃにかけて示されるスロット構成に対して使用されることが出来る。変調器８３０ｂは、単一のＲｅｌ−ｘ  ＨＳ−ＰＤＳＣＨをサポートする。変調器８３０ｂの内部では、多重化装置９３０がＲｅｌ−ｘ  ＨＳ−ＰＤＳＣＨに対するシンボルとプレフィックス系列を受信する。それぞれのスロットにおいて、多重化装置９３０は、データ・フィールドに対してシンボルを与え、そして、パイロット・フィールドとガード・フィールドに対しては、プレフィックス系列を与える。
【０１１３】
図９Ａと図９Ｂは、本明細書で説明されるスロット構成をサポートする変調機の２つの実施形態を示す。一般に、変調機は、任意のスロット構成と物理チャネルの任意の集合をサポートするために設計されることが出来る。
【０１１４】
図１０Ａは、図８の等化器８６０の一実施形態である等化器８６０ａのブロック図を示す。等化器８６０ａは、図５から図７Ｃにかけて示される任意のスロット構成を使用して送られるＲｅｌ−ｘ  ＨＳ−ＰＤＳＣＨのために使用されることが出来る。
【０１１５】
等化器８６０ａの内部では、逆多重化装置（demultiplexer）（Ｄｅｍｕｘ）１０１０は、受信機ユニット８５４からの受信サンプルを取得し、パイロットに対する受信サンプルｙｐ（ｎ）をＦＦＴユニット１０１２に与え、そして、データ・ブロック及びガード・インターバル／サフィックスに対する受信サンプルｙｂ（ｎ）をＦＦＴユニット１０１６に与える。ＦＦＴユニット１０１２は、パイロットに対する受信サンプルを周波数ドメインに変換して、周波数ドメイン・シンボルＹｐ（ｋ）を与える。チャネル推定器１０１４は、データ伝送に対して使用されるトーンに対する、例えば式（５）又は式（６）で示されるような、チャネル利得推定値Ｃ∧（ｋ）を導出する。チャネル推定器１０１４は、後処理、フィルタ処理、等々も実行することが出来る。
【０１１６】
ＦＦＴユニット１０１６は、それぞれのデータ・ブロックとそのサフィックスに対する受信サンプルを周波数ドメインに変換して、周波数ドメイン・シンボルＹｂ（ｋ）を与える。信号及び雑音推定器１０１８は、受信サンプルに基づいてＲｂｂ（ｋ）とＲｗｂ（ｋ）の推定値を導出する。周波数ドメイン等化器１０２０は、式（１０）或いは式（１１）に示されるように、チャネル利得推定値及び多分Ｒｂｂ（ｋ）とＲｗｂ（ｋ）の推定値を用いて周波数ドメイン・シンボルＹｂ（ｋ）の等化を実行し、そして、等化シンボルＢ∧（ｋ）を与える。ＩＦＦＴユニット１０２２は、等化シンボルＢ∧（ｋ）を時間ドメインに変換して等化サンプルｂ∧（ｎ）を与える。
【０１１７】
図１０Ｂは、図８の等化器８６０の別の実施形態である、等化器８６０ｂのブロック図を示す。等化器８６０ｂは、図７Ａから図７Ｃにかけて示される任意のスロット構成を使用して送られるＲｅｌ−ｘ  ＨＳ−ＰＤＳＣＨのために使用されることが出来る。等化器８６０ｂは、図１０Ａに対して上述で説明されたように機能する、逆多重化装置１０１０、ＦＦＴユニット１０１２及び１０１６、チャネル推定器１０１４、信号及び雑音推定器１０１８、周波数ドメイン等化器１０２０、及びＩＦＦＴユニット１０２２、を含む。
【０１１８】
等化器８６０ｂは、残留ＩＳＩを除くためにポスト時間ドメイン等化を実行するユニットをさらに含む。等化器８６０ｂの内部では、ユニット１０３０は、チャネル利得推定値Ｃ∧（ｋ）及びパイロットに対する受信シンボルＹｐ（ｋ）を受信し、そして重要なタップ位置｛τｌ｝を決定する。逆多重化装置１０３２は、等化サンプルｂ∧（ｎ）をＩＦＦＴユニット１０２２から受信し、サフィックスに対する等化サンプルｇ∧（ｎ）を係数計算ユニット１０３４に供給し、そして、データ・ブロックに対する等化サンプルｄ∧（ｎ）を時間ドメイン等化器１０３６に供給する。ユニット１０３４は、例えば式（１５）及び式（１６）に対して上述で説明されたように、時間ドメイン等化器１０３６に対して（複数の）係数を導出する。時間ドメイン等化器１０３６は、ユニット１０３４からの（複数の）係数を用いてサンプルｄ∧（ｎ）の等化を実行して、残留ＩＳＩが除かれて改良された等化サンプルｄ〜（ｎ）を供給する。
【０１１９】
図１０Ａと図１０Ｂは、本明細書で説明されるスロット構成を用いて使用されることが出来る等化器の２つの実施形態を示す。一般に、等化器は、任意のスロット構成をサポートするために設計されることが出来る。
【０１２０】
図１１は、本明細書で説明されるスロット構成を使用してデータ及びパイロットを送信するためのプロセスの一実施形態１１００を示す。プロセス１１００は、ノードＢ又はある別の送信機によって実行されることが出来る。
【０１２１】
それぞれのデータ・ブロックは、該データ・ブロックの先頭にガード・インターバルを有し該データ・ブロックの終端にガード・インターバルを有するように、ガード・インターバルがデータ・ブロックに追加される（ブロック１１１２）。それぞれのデータ・ブロックの先頭にあるガード・インターバルは、該データ・ブロックの終端にあるガード・インターバルに等しい。それぞれのガード・インターバルは、ＤＴＸ、多相系列、又は何か他の伝送を具備することが出来る。パイロットが少なくとも１つのデータ・ブロックの各集合に追加される（ブロック１１１４）。該パイロットは、図５から図６Ｂにかけて示されるように、ＴＤＭパイロットであることが出来る。該パイロットは、図７Ａから図７Ｃにかけて示されるように、例えば、互いに隣接する２つのガード・インターバルのうちの１つのような、ガード・インターバルであることも出来る。該パイロットは、他の方法で送られることも出来る。データ・ブロック、パイロット、及びガード・インターバルは、例えば図５から図７Ｃにかけて示されるスロット構成の任意の１つを使用して、スロットにマップされることが出来る。
【０１２２】
データ・ブロック、パイロット、及びガード・インターバルは、伝送のために処理される（ブロック１１１６）。この処理は、データ・ブロックを少なくとも１つの物理チャネル、例えばＲｅｌ−ｘ  ＨＳ−ＰＤＳＣＨ、にマッピングすることを含むことが出来る。該処理は、図１０Ａに示されるように、それぞれの物理チャネルのためのチャネライゼーション・コードを用いてデータ・ブロックをそれぞれの物理チャネルに対してチャネライズすること、全ての物理チャネルに対して該チャネライズされたデータを結合すること、及び該結合されたデータ、パイロット及びガード・インターバルをスクランブリング・コードを用いてスクランブルすること、も又含むことが出来る。図１０Ａに示されるように、他の物理チャネル（例えば、Ｐ−ＣＰＩＣＨ、Ｐ−ＣＣＰＣＨ、Ｆ−ＤＰＣＨ、及び／又はＲｅｌ−５  ＨＳ−ＰＤＳＣＨ）も又送られることが出来て、それ等はチャネライズされ、結合され、そしてスクランブルされることが出来る。他の物理チャネルに対するデータは、Ｒｅｌ−ｘ  ＨＳ−ＰＤＳＣＨのガード・インターバル及び／又はパイロットに重なる部分において、パンクチャさせられることが出来る。
【０１２３】
図１２は、本明細書で説明されるスロット構成を使用して送られたデータ及びパイロットを受信するためのプロセス一実施形態１２００を示す。プロセス１２００は、ＵＥ又はある別の受信機によって実行されることが出来る。
【０１２４】
受信サンプルは、既知の伝送に対する受信サンプルからなる第１ブロックと送信データ・ブロックに対する受信サンプルからなる第２ブロックを求めるために、逆多重化される（ブロック１２１２）。それぞれのデータ・ブロックが該データ・ブロックの先頭にガード・インターバルを有し該データ・ブロックの終端にガード・インターバルを有するように、データ・ブロックは、送信される。それぞれのガード・インターバルは、ＤＴＸ、多相系列、又はある別の系列であることが出来る。該既知の伝送は、ＴＤＭパイロットであることが出来て、多相系列を具備することが出来る。ガード・インターバルとパイロットは、他の方法で送られることも出来る。
【０１２５】
チャネル推定値は、受信サンプルの第１ブロックに基づいて導出される（ブロック１２１４）。等化は、該チャネル推定値を用いて受信サンプルの第２ブロックについて実行される（ブロック１２１６）。ブロック１２１４に関しては、受信サンプルの第１ブロックのＦＦＴが実行されることが出来て、その結果得られるシンボルは、周波数ドメイン・チャネル利得推定値を導出するために利用されることが出来る。ブロック１２１６に関しては、周波数ドメイン・シンボルを求めるために、受信サンプルの第２ブロックのＦＦＴが実行されることが出来る。次に、等化シンボルを求めるために、該チャネル利得推定値を用いて該周波数ドメイン・シンボルの等化が実行されることが出来る。時間ドメイン等化シンボルを求めるために、該等化シンボルのＩＦＦＴが実行されることが出来る。時間ドメインにおける該等化サンプルのポスト等化が実行されることが出来る。既知の系列に対する等化サンプルに基づいて（複数の）係数が導出される。該（複数の）係数を用いてデータ・ブロックに対する等化サンプルのポスト等化が実行されることが出来る。もし適用可能であるならば、該等化サンプルは、逆スクランブリング・コードを用いて逆スクランブルされることが出来る、そして、逆スクランブルされたサンプルは、該データ・ブロックを送るために使用された物理チャネルのためのチャネライゼーション・コードを用いて、逆チャネライズ／逆拡散されることが出来る。
【０１２６】
当業者等は、情報と信号は、任意の種々の異なる科学技術と専門技術を利用して表わされることが出来ることを理解する。例えば、上述の説明全体に亘って参照されることが出来る、データ、指示、命令、情報、信号、ビット、シンボル、及び、チップは、電圧、電流、電磁波、磁場又は磁性粒子、光学的場又は光学粒子，或はこれ等の任意の組合せ、により表されることが可能である。
【０１２７】
当業者等は、更に、本明細書中で開示された実施形態と関連して説明された種々の説明的な論理ブロック、モジュール、回路、およびアルゴリズム・ステップは、エレクトロニック・ハードウェア、コンピュータ・ソフトウェア、或は両者の組合せとして実装されることが可能であること、を認識する。ハードウェアとソフトウェアのこの交換可能性を明確に説明するために、種々の説明的な構成要素、ブロック、モジュール、回路、及びステップが上述において一般にそれ等の機能性を表す言葉で説明された。このような機能性がハードウェアとして実装されるか或はソフトウェアとして実装されるかは、システム全体に課される特別な応用上及び設計上の制約に依存する。当業者等は、説明された機能性をそれぞれの特別な応用に対して種々の方法で実装することが出来る、しかし、そのような実装的解決は、本発明の範囲からの逸脱をもたらすので、説明されるべきではない。
【０１２８】
本明細書中で開示された実施形態と関連して説明された種々の説明的な論理ブロック、モジュール、及び回路は、汎用プロセッサ、ディジタル信号処理装置（digital signal processor）（ＤＳＰ）、特定用途向け集積回路（application specific integrated circuit）（ＡＳＩＣ）、フィールド・プログラマブル・ゲート・アレイ（field programmable gate array）（ＦＰＧＡ）或は他のプログラム可能な論理デバイス、ディスクリート・ゲート（discrete gate）或はトランジスタ・ロジック（transistor logic）、ディスクリート・ハードウェア部品（discrete hardware components）、或は本明細書に記載された機能を実行するために設計されたそれ等の任意の組合せ、を用いて実装又は実行されることが出来る。汎用プロセッサは、マイクロプロセッサであって良い、しかし、その代わりに、プロセッサは、任意の通常のプロセッサ、制御器、マイクロ制御器、或はステート・マシン（state machine）であって良い。プロセッサは、計算する装置の組合せ、例えば、ＤＳＰとマイクロプロセッサの組合せ、複数のマイクロプロセッサ、ＤＳＰコアと接続された１又は複数のマイクロプロセッサ、或は任意の他のこのような構成、として実装されることも可能である。
【０１２９】
本明細書中で開示された実施形態に関連して説明された方法或はアルゴリズムのステップは、直接ハードウェアにおいて、プロセッサにより遂行されるソフトウェア・モジュールにおいて、或は両者の組合せにおいて、具体化されることが可能である。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・デイスク、リムーバブル・ディスク、ＣＤ−ＲＯＭ、或は他の任意の公知の記憶媒体形式、中に常駐することが出来る。具体例としての記憶媒体は、プロセッサが該記憶媒体から情報を読み、該記憶媒体に情報を書くことが出来るように、プロセッサと接続されている。それに代わって、記憶媒体はプロセッサと一体になることも出来る。プロセッサと記憶媒体は、ＡＳＩＣの中に常駐することが可能である。該ＡＳＩＣは、利用者端末の中に常駐することが出来る。それに代わって、プロセッサと記憶媒体は、利用者端末中で個別的部品として常駐することが可能である。
【０１３０】
開示された実施形態の先述の説明は、当業者の誰もが本発明を作る或は利用することを可能にするために提供されている。これ等の実施形態への種々の改変は、当業者等には容易に明白であり、そして、本明細書中で定義される包括的な原理は、本発明の精神或は範囲を逸脱することなく、他の実施形態に適用されることが出来る。かくして、本発明は、本明細書中に示される実施形態に限定されるようには意図されておらず、本明細書で開示された原理及び新規性と首尾一貫する最も広い範囲を認容されるべきである。
【図１】
2011125024.tif 000028
【図２】
2011125024.tif 000029
【図３】
2011125024.tif 000030
【図４】
2011125024.tif 000031
【図５】
2011125024.tif 000032
【図６Ａ】
2011125024.tif 000033
【図６Ｂ】
2011125024.tif 000034
【図７Ａ】
2011125024.tif 000035
【図７Ｂ】
2011125024.tif 000036
【図７Ｃ】
2011125024.tif 000037
【図８】
2011125024.tif 000038
【図９Ａ】
2011125024.tif 000039
【図９Ｂ】
2011125024.tif 000040
【図１０Ａ】
2011125024.tif 000041
【図１０Ｂ】
2011125024.tif 000042
【図１１】
2011125024.tif 000043
【図１２】
2011125024.tif 000044
【手続補正書】
【提出日】平成23年1月12日(2011.1.12)
【手続補正１】
【補正対象書類名】特許請求の範囲
【補正対象項目名】全文
【補正方法】変更
【補正の内容】
【特許請求の範囲】
【請求項１】
受信サンプルを逆多重化して既知の伝送に対する受信サンプルの第１ブロックと送信されたデータ・ブロックに対する受信サンプルの第２ブロックを求めるために構成され、ここにおいて、該送信されたデータ・ブロックが該データ・ブロックの先頭にガード・インターバルを有し、そして該データ・ブロックの終端にガード・インターバルを有し、受信サンプルの該第１ブロックに基づいてチャネル推定値を導出するために構成された、且つ、該チャネル推定値を用いて受信サンプルの該第２ブロックの等化を実行するために構成された、少なくとも１つのプロセッサ、及び
該少なくとも１つのプロセッサに接続されたメモリ
を具備し、
それぞれのガード・インターバルは、不連続送信（ＤＴＸ）であり、該既知の伝送は、時分割多重化（ＴＤＭ）パイロットである装置。
【請求項２】
それぞれのガード・インターバルは、多相系列を具備し、そしてここにおいて、該既知の伝送は該多相系列を具備する、請求項１の装置。
【請求項３】
受信サンプルを逆多重化して既知の伝送に対する受信サンプルの第１ブロックと送信されたデータ・ブロックに対する受信サンプルの第２ブロックを求めるために構成され、ここにおいて、該送信されたデータ・ブロックが該データ・ブロックの先頭にガード・インターバルを有し、そして該データ・ブロックの終端にガード・インターバルを有し、受信サンプルの該第１ブロックに基づいてチャネル推定値を導出するために構成された、且つ、該チャネル推定値を用いて受信サンプルの該第２ブロックの等化を実行するために構成された、少なくとも１つのプロセッサ、及び
該少なくとも１つのプロセッサに接続されたメモリ
を具備し、
該第１及び第２ブロックのそれぞれは、２の冪乗である期間を有する、そしてここにおいて、該少なくとも１つのプロセッサは、受信サンプルの該第１ブロックの第１高速フーリエ変換（ＦＦＴ）を実行するように、受信サンプルの該第２ブロックの第２ＦＦＴを実行するように、且つ、周波数ドメインにおいて等化を実行するように構成される装置。
【請求項４】
該少なくとも１つのプロセッサは、該第１ＦＦＴの出力に基づいて周波数ドメイン・チャネル利得推定値を導出するように、且つ、該チャネル利得推定値を用いて周波数ドメインにおいて第２ＦＦＴの出力の等化を実行するように構成される、請求項３の装置。
【請求項５】
受信サンプルを逆多重化して既知の伝送に対する受信サンプルの第１ブロックと送信されたデータ・ブロックに対する受信サンプルの第２ブロックを求めるために構成され、ここにおいて、該送信されたデータ・ブロックが該データ・ブロックの先頭にガード・インターバルを有し、そして該データ・ブロックの終端にガード・インターバルを有し、受信サンプルの該第１ブロックに基づいてチャネル推定値を導出するために構成された、且つ、該チャネル推定値を用いて受信サンプルの該第２ブロックの等化を実行するために構成された、少なくとも１つのプロセッサ、及び
該少なくとも１つのプロセッサに接続されたメモリ
を具備し、
該少なくとも１つのプロセッサは、受信サンプルの該第１ブロックに基づいて周波数ドメイン・チャネル利得推定値を導出するように、受信サンプルの該第２ブロックを変換して周波数ドメイン・シンボルを求めるように、該チャネル利得推定値を用いて該周波数ドメイン・シンボルの等化を実行して等化シンボルを求めるように、該等化シンボルを変換して時間ドメイン等化サンプルを求めるように、且つ、該等化サンプルのポスト等化を実行するように構成される装置。
【請求項６】
受信サンプルの該第２ブロックは、該送信されたデータ・ブロック及び該既知の系列を具備する、そしてここにおいて、該少なくとも１つのプロセッサは、該既知の系列に対する等化サンプルに基づいて少なくとも１つの係数を導出するように、且つ、該少なくとも１つの係数を用いて該送信されたデータ・ブロックに対する等化サンプルのポスト等化を実行するように構成される、請求項５の装置。
【請求項７】
受信サンプルを逆多重化して既知の伝送に対する受信サンプルの第１ブロックと送信されたデータ・ブロックに対する受信サンプルの第２ブロックを求めるために構成され、ここにおいて、該送信されたデータ・ブロックが該データ・ブロックの先頭にガード・インターバルを有し、そして該データ・ブロックの終端にガード・インターバルを有し、受信サンプルの該第１ブロックに基づいてチャネル推定値を導出するために構成された、且つ、該チャネル推定値を用いて受信サンプルの該第２ブロックの等化を実行するために構成された、少なくとも１つのプロセッサ、及び
該少なくとも１つのプロセッサに接続されたメモリ
を具備し、
該少なくとも１つのプロセッサは、逆スクランブリング・コードを用いて等化サンプルを逆スクランブルするように構成される装置。
【請求項８】
該少なくとも１つのプロセッサは、少なくとも１つの物理チャネルに対する少なくとも１つのチャネライゼーション・コードを用いて逆スクランブルされたサンプルを逆チャネライズするように構成される、請求項７の装置。
【請求項９】
既知の伝送に対する受信サンプルの第１ブロックと送信されたデータ・ブロックに対する受信サンプルの第２ブロックを求めるために送信された信号の受信サンプルを逆多重化することと、ここにおいて、該送信されたデータ・ブロックが該データ・ブロックの先頭にガード・インターバルを有し、そして該データ・ブロックの終端にガード・インターバルを有し、
受信サンプルの該第１ブロックに基づいてチャネル推定値を導出することと、
該チャネル推定値を用いて受信サンプルの該第２ブロックの等化を実行し、等化サンプルもとめることと、
を具備し、
それぞれのガード・インターバルは、不連続送信（ＤＴＸ）であり、該既知の伝送は、時分割多重化（ＴＤＭ）パイロットである方法。
【請求項１０】
それぞれのガード・インターバルは、多相系列を具備し、そしてここにおいて、該既知の伝送は、該多相系列を具備する、請求項９の方法。
【請求項１１】
既知の伝送に対する受信サンプルの第１ブロックと送信されたデータ・ブロックに対する受信サンプルの第２ブロックを求めるために送信された信号の受信サンプルを逆多重化することと、ここにおいて、該送信されたデータ・ブロックが該データ・ブロックの先頭にガード・インターバルを有し、そして該データ・ブロックの終端にガード・インターバルを有し、
受信サンプルの該第１ブロックに基づいてチャネル推定値を導出することと、
該チャネル推定値を用いて受信サンプルの該第２ブロックの等化を実行すること
を具備し、
該チャネル推定値は、周波数ドメイン・チャネル利得推定値を具備する、そしてここにおいて、受信サンプルの該第２ブロックの等化を実行することは、
周波数ドメイン・シンボルを求めるために受信サンプルの該第２ブロックを変換すること、
等化シンボルを求めるために該チャネル利得推定値を用いて該周波数ドメイン・シンボルの等化を実行すること、及び
時間ドメイン等化サンプルを求めるために該等化シンボルを変換すること、
を具備する方法。
【請求項１２】
既知の伝送に対する受信サンプルの第１ブロックと送信されたデータ・ブロックに対する受信サンプルの第２ブロックを求めるために送信された信号の受信サンプルを逆多重化することと、ここにおいて、該送信されたデータ・ブロックが該データ・ブロックの先頭にガード・インターバルを有し、そして該データ・ブロックの終端にガード・インターバルを有し、
受信サンプルの該第１ブロックに基づいてチャネル推定値を導出することと、
該チャネル推定値を用いて受信サンプルの該第２ブロックの等化を実行し、等化サンプルもとめることと、
を具備し、
受信サンプルの該第２ブロックは、該送信されたデータ・ブロック及び該既知の系列を具備する、そしてここにおいて、受信サンプルの該第２ブロックの等化を実行することは、
該既知の系列に対する等化サンプルに基づいて少なくとも１つの係数を導出すること、及び
該少なくとも１つの係数を用いて該送信されたデータ・ブロックに対する等化サンプルのポスト等化を実行すること
を更に具備する方法。
【請求項１３】
既知の伝送に対する受信サンプルの第１ブロックと送信されたデータ・ブロックに対する受信サンプルの第２ブロックを求めるために受信サンプルを逆多重化するための手段、ここにおいて、データ・ブロックは、それぞれのデータ・ブロックが該データ・ブロックの先頭にガード・インターバルを有しそして該データ・ブロックの終端にガード・インターバルを有するように送信される、
受信サンプルの該第１ブロックに基づいてチャネル推定値を導出するための手段、及び
該チャネル推定値を用いて受信サンプルの該第２ブロックの等化を実行するための手段
を具備し、
それぞれのガード・インターバルは、不連続送信（ＤＴＸ）であり、該既知の伝送は、時分割多重化（ＴＤＭ）パイロットである装置。
【請求項１４】
それぞれのガード・インターバルは、多相系列を具備し、そしてここにおいて、該既知の伝送は、該多相系列を具備する、請求項１３の装置。
【請求項１５】
既知の伝送に対する受信サンプルの第１ブロックと送信されたデータ・ブロックに対する受信サンプルの第２ブロックを求めるために受信サンプルを逆多重化する手段と、ここにおいて、データ・ブロックは、それぞれのデータ・ブロックが該データ・ブロックの先頭にガード・インターバルを有し、そして該データ・ブロックの終端にガード・インターバルを有するように送信され、
受信サンプルの該第１ブロックに基づいてチャネル推定値を導出する手段と、
該チャネル推定値を用いて受信サンプルの該第２ブロックの等化を実行する手段と、
該チャネル推定値は、周波数ドメイン・チャネル利得推定値を具備する、そしてここにおいて、受信サンプルの該第２ブロックの等化を実行するための該手段は、
周波数ドメイン・シンボルを求めるために受信サンプルの該第２ブロックを変換するための手段、
等化シンボルを求めるために該チャネル利得推定値を用いて該周波数ドメイン・シンボルの等化を実行するための手段、及び
時間ドメイン等化サンプルを求めるために該等化シンボルを変換するための手段、
を具備する装置。
【請求項１６】
受信サンプルの該第２ブロックは、該送信されたデータ・ブロック及び該既知の系列を具備する、そしてここにおいて、受信サンプルの該第２ブロックの等化を実行するための手段は、
該既知の系列に対する等化サンプルに基づいて少なくとも１つの係数を導出するための手段、及び
該少なくとも１つの係数を用いて該送信されたデータ・ブロックに対する等化サンプルのポスト等化を実行するための手段
を更に具備する、請求項１５の装置。
【外国語明細書】
2011125024000001.pdf